(57)【要約】  冷蔵庫の内部に穀物を便利に保管することで、穀物の新鮮度を長期間の間維持する冷蔵庫用穀物保管装置を提供する。冷蔵庫に設置され、穀物が保管される穀物保管箱と、前記穀物保管箱から吐出された穀物を外部に引き出し可能な状態で収容する穀物引き出し部と、前記穀物保管箱と前記穀物引き出し部との間に設けられ、前記穀物保管箱から吐出された穀物が前記穀物引き出し部に移動することを案内する穀物取り出し部とを含んで冷蔵庫用穀物保管装置を構成する。
2010500531.tif 000002
【特許請求の範囲】
【請求項１】
冷蔵庫に設置され、穀物が保管される穀物保管箱と、
前記穀物保管箱から吐出された穀物を外部に引き出し可能な状態で収容する穀物引き出し部と、
前記穀物保管箱と前記穀物引き出し部との間に設けられ、前記穀物保管箱から吐出された穀物が前記穀物引き出し部に移動することを案内する穀物取り出し部と、を含むことを特徴とする冷蔵庫用穀物保管装置。
【請求項２】
前記穀物保管箱の下部に形成され、穀物が前記穀物取り出し部に吐出されることを案内する吐出口をさらに含み、
前記穀物取り出し部は、前記吐出口の下部に設けられ、前記吐出口から吐出される穀物を貯蔵し、これを前記穀物引き出し部に移送させる穀物移送部と、
前記穀物移送部と連結され、前記穀物移送部の動作のための駆動力を提供する駆動力発生部と、をさらに含むことを特徴とする請求項１に記載の冷蔵庫用穀物保管装置。
【請求項３】
前記駆動力発生部は、前記穀物保管箱の下部に設けられた前面板に露出され、スライド移動可能に結合される操作ボタン部と、
前記操作ボタン部の一側から延長される延長部と、
前記延長部の後面に上下方向に設けられ、前記穀物引き出し部と連結され、前記操作ボタンの動作によって誘発される動力を前記穀物引き出し部に伝達するラックギアと、
一端部が前記操作ボタンの後面に突出形成された突出部と結合され、前記操作ボタン部を弾性的に支持し、前記操作ボタン部に加えられた強制力が消滅するとき、前記操作ボタン部の位置を復帰させる弾性部材と、を含むことを特徴とする請求項２に記載の冷蔵庫用穀物保管装置。
【請求項４】
前記穀物保管箱の下部に設けられた前面板の後方に結合され、前記駆動力発生部がスライド移動するように支持する支持部材をさらに含み、
前記支持部材は、前記前面板の後方に面接され、前記操作ボタン部の左右を支持する第１支持部と、
前記第１支持部と連結され、前記前面板の後方から一定間隔だけ後方に離れて、前記操作ボタン部の後方を支持する第２支持部と、
前記第１支持部と前記第２支持部とを連結する連結板に形成され、前記延長部の上下移動を案内する第１ガイドスリットと、
前記第２支持部に設けられ、前記操作ボタン部の後面に突出形成された突出部の上下移動を案内する第２ガイドスリットと、を含むことを特徴とする請求項３に記載の冷蔵庫用穀物保管装置。
【請求項５】
前記穀物保管箱の下部に設けられた前面板の後方に設けられ、前記支持部材と結合され、前記支持部材を固定させる固定部材をさらに含み、
前記固定部材は、前記第１支持部の側面上部と結合される第１固定部材と、
前記第１支持部の側面下部と結合される第２固定部材と、を含むことを特徴とする請求項４に記載の冷蔵庫用穀物保管装置。
【請求項６】
前記穀物保管箱の下部に設けられ、第１結合孔が形成された第１結合部と、
前記第２支持部の上部後面に設けられ、前記第１結合孔に対応する第２結合孔が形成された第２結合部と、
前記第１及び第２結合孔を貫通して前記第１及び第２結合部を締結する結合部材と、をさらに含むことを特徴とする請求項４に記載の冷蔵庫用穀物保管装置。
【請求項７】
前記穀物移送部は、前記穀物保管箱の下面に形成された吐出口と連通され、前記穀物保管箱と結合されるケーシングと、
前記ハウジングの内部に回動可能に設置され、穀物が収容される穀物伝達容器と、
前記穀物伝達容器に設けられ、前記穀物伝達容器が前記ケーシングの内部に回動可能に設置されるように支持する回転軸と、
前記回転軸の一端部に設けられ、前記駆動力発生部と連結され、前記駆動力発生部から発生した駆動力を穀物伝達容器に伝達し、前記駆動伝達容器を上下に逆転させるギアと、
前記ケーシングに設けられ、前記穀物伝達容器と一緒に穀物の収容空間を形成する曲面板形態の支持板と、をさらに含むことを特徴とする請求項２に記載の冷蔵庫用穀物保管装置。
【請求項８】
前記穀物伝達容器に設けられ、前記穀物伝達容器が回動するとき、前記ケーシングの内面と接触した状態で移動し、前記ケーシングの内部を整理する整理部材をさらに含むことを特徴とする請求項７に記載の冷蔵庫用穀物保管装置。
【請求項９】
前記ケーシングは、前記吐出口から吐出された穀物が前記穀物伝達容器に流入するときに流入通路の役割をする第１開放部と、
前記穀物伝達容器の位置が逆転され、前記穀物伝達容器に収容された穀物が前記穀物引き出し部に流出するときに流出通路の役割をする第２開放部と、を含むことを特徴とする請求項７に記載の冷蔵庫用穀物保管装置。
【請求項１０】
前記吐出口に設けられ、前記吐出口から前記穀物移送部に移動する穀物が前記穀物取り出し部の外部に離脱することを防止するシーリング部材をさらに含むことを特徴とする請求項２に記載の冷蔵庫用穀物保管装置。
【請求項１１】
前記穀物取り出し部は、前記穀物保管箱と前記穀物引き出し部との間に、前記穀物保管箱から前記穀物引き出し部に移動する穀物をスライド方式で取り締まるように配置されることを特徴とする請求項１に記載の冷蔵庫用穀物保管装置。
【請求項１２】
前記穀物保管箱は、その下部に設けられ、穀物が吐出される吐出口と、
前記吐出口の周囲に設けられ、前記吐出口に穀物を円滑に移動させるための傾斜を有するダクトと、を含むことを特徴とする請求項１１に記載の冷蔵庫用穀物保管装置。
【請求項１３】
前記穀物取り出し部は、その外観を形成するケースと、
前記ケースの内部にスライド移動可能に設けられる移動部材と、
前記ケースの内部に設けられ、前記移動部材の移動を案内する案内レールと、を含むことを特徴とする請求項１２に記載の冷蔵庫用穀物保管装置。
【請求項１４】
前記移動部材に形成され、取っ手の機能をする操作ノブと、
前記ケースの前方に設けられ、前記移動部材の移動を案内し、前記移動部材の移動幅を制限する案内スリットと、をさらに含むことを特徴とする請求項１３に記載の冷蔵庫用穀物保管装置。
【請求項１５】
前記移動部材の開放程度を段階的に調節し、穀物の吐出量を調節するために移動部材の表面に一定間隔だけ離れて形成される突起部と、
前記案内レールに複数個が離隔状態で形成され、前記突起部が挿入される挿入孔と、をさらに含むことを特徴とする請求項１４に記載の冷蔵庫用穀物保管装置。
【発明の詳細な説明】
【技術分野】
【０００１】
本発明は、冷蔵庫用穀物保管装置に関するもので、穀物の冷蔵保管及び引き出しを容易に行えることで、使用者の便宜性を増大できる発明に関するものである。
【背景技術】
【０００２】
従来の米、豆または小豆などの穀物の保管法としては、その穀物類を包装する包装容器を外部と遮断させて常温で保管したり、米びつなどの専用保管装置を用いて保管する方法が主流をなしていた。
【０００３】
しかしながら、上記のような装置及びその装置を用いた保管方法は、穀物を常温状態で保管するという限界があり、穀物を常温状態で保管する場合、冷蔵状態で保管する場合に比べて穀物の新鮮度が低下するようになる。
【０００４】
したがって、消費者は、穀物の新鮮度を維持するために、穀物をビニール袋や一般的な保管容器に入れて冷蔵庫に保管していたが、このような保管方法によると、消費者に不便さを与えるという問題点があった。
【発明の概要】
【発明が解決しようとする課題】
【０００５】
本発明は、上記のような問題点を解決するためのもので、その目的は、冷蔵庫の内部に穀物を便利に保管することで、穀物の新鮮度を長期間の間維持することにある。
【０００６】
本発明の他の目的は、冷蔵保管された穀物を便利に引き出すことで、使用者の便宜性を提供することにある。
【課題を解決するための手段】
【０００７】
上述した技術的課題を解決するための本発明は、冷蔵庫に設置され、穀物が保管される穀物保管箱と、前記穀物保管箱から吐出された穀物を外部から引き出し可能な状態で収容する穀物引き出し部と、前記穀物保管箱と前記穀物引き出し部との間に設けられ、前記穀物保管箱から吐出された穀物が前記穀物引き出し部に移動することを案内する穀物取り出し部とを含むことを特徴とする冷蔵庫用穀物保管装置を提供する。
【０００８】
また、前記穀物保管箱の下部に形成され、穀物が前記穀物取り出し部に吐出されることを案内する吐出口をさらに含み、前記穀物取り出し部は、前記吐出口の下部に設けられ、前記吐出口から吐出される穀物を貯蔵し、これを前記穀物引き出し部に移送させる穀物移送部と、前記穀物移送部と連結され、前記穀物移送部の動作のための駆動力を提供する駆動力発生部とをさらに含むことを特徴とする。
【０００９】
また、前記駆動力発生部は、前記穀物保管箱の下部に設けられた前面板に露出され、スライド移動可能に結合される操作ボタン部と、前記操作ボタン部の一側から延長される延長部と、前記延長部の後面に上下方向に設けられ、前記穀物引き出し部と連結され、前記操作ボタンの動作によって誘発される動力を前記穀物引き出し部に伝達するラックギアと、一端部が前記操作ボタンの後面に突出形成された突出部と結合され、前記操作ボタン部を弾性的に支持し、前記操作ボタン部に加えられた強制力が消滅するとき、前記操作ボタン部の位置を復帰させる弾性部材とを含むことを特徴とする。
【００１０】
また、前記穀物保管箱の下部に設けられた前面板の後方に結合され、前記駆動力発生部がスライド移動するように支持する支持部材をさらに含み、前記支持部材は、前記前面板の後方に面接され、前記操作ボタン部の左右を支持する第１支持部と、前記第１支持部と連結され、前記前面板の後方から一定間隔だけ後方に離れて、前記操作ボタン部の後方を支持する第２支持部と、前記第１支持部と前記第２支持部とを連結する連結板に形成され、前記延長部の上下移動を案内する第１ガイドスリットと、前記第２支持部に設けられ、前記操作ボタン部の後面に突出形成された突出部の上下移動を案内する第２ガイドスリットとを含むことを特徴とする。
【００１１】
また、前記穀物保管箱の下部に設けられた前面板の後方に設けられ、前記支持部材と結合され、前記支持部材を固定させる固定部材をさらに含み、前記固定部材は、前記第１支持部の側面上部と結合される第１固定部材と、前記第１支持部の側面下部と結合される第２固定部材とを含むことを特徴とする。
【００１２】
また、前記穀物保管箱の下部に設けられ、第１結合孔が形成された第１結合部と、前記第２支持部の上部後面に設けられ、前記第１結合孔に対応する第２結合孔が形成される第２結合部と、前記第１及び第２結合孔を貫通して前記第１及び第２結合部を締結する結合部材とをさらに含むことを特徴とする。
【００１３】
また、前記穀物移送部は、前記穀物保管箱の下面に形成された吐出口と連通され、前記穀物保管箱と結合されるケーシングと、前記ハウジングの内部に回動可能に設置され、穀物が収容される穀物伝達容器と、前記穀物伝達容器に設けられ、前記穀物伝達容器が前記ケーシングの内部に回動可能に設置されるように支持する回転軸と、前記回転軸の一端部に設けられ、前記駆動力発生部と連結され、前記駆動力発生部から発生した駆動力を穀物伝達容器に伝達し、前記駆動伝達容器を上下に逆転させるギアと、前記ケーシングに設けられ、前記穀物伝達容器と一緒に穀物の収容空間を形成する曲面板形態の支持板とをさらに含むことを特徴とする。
【００１４】
また、前記穀物伝達容器に設けられ、前記穀物伝達容器が回動するとき、前記ケーシングの内面と接触した状態で移動し、前記ケーシングの内部を整理する整理部材をさらに含むことを特徴とする。
【００１５】
また、前記ケーシングは、前記吐出口から吐出された穀物が前記穀物伝達容器に流入するときに流入通路の役割をする第１開放部と、前記穀物伝達容器の位置が逆転され、前記穀物伝達容器に収容された穀物が前記穀物引き出し部に流出するときに流出通路の役割をする第２開放部とを含むことを特徴とする。
【００１６】
また、前記吐出口に設けられ、前記吐出口から前記穀物移送部に移動する穀物が前記穀物取り出し部の外部に離脱することを防止するシーリング部材をさらに含むことを特徴とする。
【００１７】
また、前記穀物取り出し部は、前記穀物保管箱と前記穀物引き出し部との間に、前記穀物保管箱から前記穀物引き出し部に移動する穀物をスライド方式で取り締まるように配置されることを特徴とする。
【００１８】
また、前記穀物保管箱は、その下部に設けられ、穀物が吐出される吐出口と、前記吐出口の周囲に設けられ、前記吐出口に穀物を円滑に移動させるための傾斜を有するダクトとを含むことを特徴とする。
【００１９】
また、前記穀物取り出し部は、その外観を形成するケースと、前記ケースの内部にスライド移動可能に設けられる移動部材と、前記ケースの内部に設けられ、前記移動部材の移動を案内する案内レールとを含むことを特徴とする。  
【００２０】
また、前記移動部材に形成され、取っ手の機能をする操作ノブと、前記ケースの前方に設けられ、前記移動部材の移動を案内し、前記移動部材の移動幅を制限する案内スリットとをさらに含むことを特徴とする。
【００２１】
また、前記移動部材の開放程度を段階的に調節し、穀物の吐出量を調節するために移動部材の表面に一定間隔だけ離れて形成される突起部と、前記案内レールに複数個が離隔状態で形成され、前記突起部が挿入される挿入孔とをさらに含むことを特徴とする。
【発明の効果】
【００２２】
本発明に係る冷蔵庫用穀物伝達容器及びこれを含む冷蔵庫によると、穀物の冷蔵保管をより便利に行うことで、穀物の新鮮度を長期間の間維持できるとともに、穀物の保管時に使用者の便宜性を高めることができる。
【図面の簡単な説明】
【００２３】
【図１】本発明の穀物保管装置を装着した冷蔵庫の正面図である。
【図２】本発明の穀物保管装置の第１実施例の分解斜視図である。
【図３】本発明の穀物保管装置の第１実施例の後面分離斜視図である。
【図４】本発明の穀物保管装置の第１実施例による穀物取り出し部の後面分離斜視図である。
【図５】本発明の穀物保管装置の第１実施例による穀物移送部の分離斜視図である。
【図６】本発明の穀物保管装置の第１実施例の内部に穀物が収容された状態を示した側断面図である。
【図７】図６の状態でラックギアとギアとの噛み合い状態を示した側面図である。
【図８】本発明の穀物保管装置の第１実施例において穀物が穀物引き出し部に移動する状態を示した側断面図である。
【図９】図８の状態でラックギアとギアとの噛み合い状態を示した側面図である。
【図１０】本発明の穀物保管装置の第１実施例において穀物が引き出される状態を示した側断面図である。
【図１１】本発明の穀物保管装置の第２実施例の分離斜視図である。
【図１２】本発明の穀物保管装置の第２実施例の結合斜視図である。
【図１３】本発明の穀物保管装置の第２実施例における穀物取り出し部の分離斜視図である。
【図１４】本発明の穀物保管装置の第３実施例の結合斜視図である。
【図１５】本発明の穀物保管装置の第３実施例に係る穀物取り出し部の分離斜視図である。
【図１６】本発明の第２実施例に係る穀物保管装置における穀物取り出し過程を示した正面図である。
【図１７】本発明の第３実施例に係る穀物保管装置における穀物取り出し過程を示した正面図である。
【００２４】
そして、既存の一般的な保管容器から穀物を引き出す場合に比べて、押し作用などを通して穀物をより簡便に引き出すことができる。
【００２５】
一方、取り出し過程で穀物保管箱が段階的に開放されることで、多量の穀物が一度にこぼれ落ちることを防止できるとともに、使用者の意図によってその開放程度を調節することで、使用者の便宜性を高めることができる。
【発明を実施するための形態】
【００２６】
以下、添付された図面に基づいて本発明の実施例に対して説明する。
【００２７】
図１に示すように、本実施例による冷蔵庫用穀物保管箱及びこれを含む冷蔵庫は、その内部に冷蔵室１２及び冷凍室（図示せず）が形成された本体１０と、前記冷蔵室１２及び冷凍室を開閉するように前記本体１０の前面に回動可能に付着されたドア１４，１５とを含んでいる。
【００２８】
そして、前記冷蔵室１２を開閉するドア１４の内面には、穀物を冷蔵保管するための穀物保管装置２０が設けられている。
【００２９】
ここで、前記穀物保管装置２０は、穀物の投入及び引き出しが容易に行われる位置を考慮して前記ドア１４の内面の下部に設けられる。前記穀物保管装置２０は、穀物が投入されて保管される穀物保管箱３０と、前記穀物保管箱３０の下部に結合され、前記穀物保管箱３０の穀物を下部に排出させる穀物取り出し部６０と、前記穀物取り出し部６０の下部に結合され、前記穀物取り出し部６０によって排出される穀物を外部に引き出し可能な状態で収容する穀物引き出し部３００とを含む。
【００３０】
そして、前記穀物保管箱３０の上部には収納棚３３が着脱可能に設けられており、前記収納棚３３の前方には、前記穀物保管箱３０の投入口（図示せず）を開閉する開閉部材３１が設けられている。  
【００３１】
図２に示すように、前記穀物保管箱３０の上部に設けられた投入口３６には前記収納棚３３が設けられるが、前記収納棚３３は第１収納棚３４及び第２収納棚３５を含んで構成され、前記収納棚３３の前方には、回動軸３１ａを有する前記開閉部材３１が投入口３６に設けられた回動溝３２に回動可能に結合される。
【００３２】
一方、前記穀物保管箱３０の内部は、複数種類の穀物を投入して保管するために隔壁３７によって区画されている。図２では、前記穀物保管箱３０の内部が２個の空間に区画されている状態を示しているが、より多くの数に区画されることも可能である。
【００３３】
前記穀物保管箱３０の前面部分には、前記穀物保管箱３０の内部に収容されている穀物の積載量や種類を確認するための透視部材３８が設けられ、この透視部材３８を通して、使用者は、保管されている穀物の種類及び穀物量の過不足を容易に確認することができる。
【００３４】
前記穀物保管箱３０から吐出された穀物は、前記穀物取り出し部６０の作動によって前記穀物引き出し部３００に落ちて保管されるが、前記穀物取り出し部６０は、前記穀物保管箱３０の前面板４０に設置されている操作ボタン部６２を含む駆動力発生部６１（図３を参照）と、前記駆動力発生部６１と連結され、前記駆動力発生部６１の動作によって穀物の移動を取り締まる穀物移送部１５０とを含んで構成される。前記穀物取り出し部６０の具体的な構成に対しては、後述することにする。  
【００３５】
上述したように、前記穀物取り出し部６０の下部に前記穀物引き出し部３００が結合されるが、前記穀物引き出し部３００は、前記穀物が落下して収容される穀物引き出し箱３１０と、前記穀物引き出し箱３１０がスライド移動可能に収容されるハウジング３２０とを含んでいる。
【００３６】
一方、前記ドア１４内部の側壁１５には突起形態の第１結着部１６が設けられ、前記収納棚３３、前記穀物保管箱３０、前記穀物取り出し部６０及び前記穀物引き出し部３００の両側面には、前記第１結着部１６が挿入されて結着される溝形態の第２結着部３０ａ，３３ａ，６０ａ，３００ａがそれぞれ設けられている。
【００３７】
図３及び図４に示すように、前記収納棚３３は、第１収納棚３４と第２収納棚３５に分けられており、前記第１収納棚３４の下部に段差が形成され、その段差部分が前記第２収納棚３５に挿入されることで第１及び第２収納棚３４，３５が結合される。
【００３８】
ここで、第１及び第２収納棚３４，３５が結合されることで、第１収納棚３４に貯蔵物を入れることができ、第１収納棚３４が除去された状態で第２収納棚３５のみで収納機能を行うこともできる。  
【００３９】
そして、前記収納棚３３の前方には前記開閉部材３１が回動可能に設置されるが、このとき、前記開閉部材３１の両側面には回動軸３１ａが形成され、前記穀物保管箱３０の両側面には、前記回動軸３１ａが挿入される回動溝３２が形成される。
【００４０】
また、前記穀物保管箱３０の下部には、穀物保管箱３０に保管された穀物を下部に移動させる吐出口４１が形成されるが、前記吐出口４１は、前記穀物保管箱３０内部の区画された空間の個数に対応して形成されることが好ましく、前記吐出口４１の周囲には、前記吐出口４１に向かう傾斜面を有する案内ダクト４３が形成され、この案内ダクト４３は、穀物が前記吐出口４１に円滑に移動するように案内する。
【００４１】
一方、前記吐出口４１の一側には、前記吐出口４１と前記穀物取り出し部６０との間の隙間に穀物が抜け出ないようにシーリングをするシーリング部材４４が設けられる。
【００４２】
以下、前記穀物取り出し部６０の構成を具体的に説明する。  
【００４３】
前記穀物取り出し部６０は、前記穀物保管箱３０の前面下部から下方に延長された前面板４０に形成されているボタン挿入孔４２に挿入されるように位置し、後述する穀物移送部１５０に動力を提供する駆動力発生部６１と、前記駆動力発生部６１を支持しながら移動を案内する支持部材７０と、前記駆動力発生部６１と連結され、前記駆動力発生部６１の動作によって穀物を前記穀物引き出し部３００に移動させる穀物移送部１５０とを含んで構成される。
【００４４】
ここで、前記駆動力発生部６１は、使用者の押し動作及び押し解除動作によって上下に移動する操作ボタン部６２と、前記操作ボタン部６２の一側に形成されるラックギア６４と、前記操作ボタン部６２と前記ラックギア６４とを連結する延長部６３と、前記操作ボタン部６２の後方に形成された第１突出部６５と、一端部が前記第１突出部６５に係止されて固定され、他端部が前記支持部材７０に形成された第２突出部７５に係止される弾性部材６９とを含んでいるが、ここで、前記弾性部材６９は、前記操作ボタン部６２を弾性的に支持し、前記操作ボタン部６２に対する押し動作を解除するとき、前記操作ボタン部６２を元の位置に復帰させる復元力を提供する役割をする。
【００４５】
また、前記駆動力発生部６１を支持する前記支持部材７０は、前記前面板４０の後方に付着され、前記操作ボタン部６２の左右を支持する第１支持部７１と、前記第１支持部７１と連結され、前記前面板７１の後方から一定間隔だけ後方に離隔され、前記操作ボタン部６２の後方を支持する第２支持部７２とを含んでいる。
【００４６】
また、前記第１支持部７１及び前記第２支持部７２は連結板７３によって連結されるが、前記連結板７３には、前記延長部６３の上下移動を案内する第１ガイドスリット７６が形成され、前記第２支持部７２には、前記第１突出部６５の上下移動を案内する第２ガイドスリット７８が形成されている。
【００４７】
そして、前記前面板４０の後方には、前記支持部材７０を固定させるための固定部材９０が設けられるが、前記固定部材９０は、前記第１支持部７１の側面上部と嵌め合わされる第１固定部材９４と、前記第１支持部７１の側面下部と嵌め合わされる第２固定部材９６とを含んでいる。  
【００４８】
また、前記固定部材９０の他に、前記支持部材７０を前記穀物保管箱３０の下部に堅固に固定させるための別途の構造が設けられるが、この構造は、前記穀物保管箱３０の下部に設けられ、第１結合孔１０２が設けられた第１結合部１００と、前記第２支持部７２の上部後面に設けられ、前記第１結合孔１０２に対応する第２結合孔１０５が形成された第２結合部１０４と、前記第１及び第２結合孔１０２，１０５を貫通して前記第１及び第２結合部１００，１０４を締結させる結合部材１０６とを含む。  
【００４９】
そして、前記穀物移送部１５０は、一側が開放される円筒状の穀物伝達容器１５１と、 前記穀物伝達容器１５１が収容され、前記吐出口４１の下部に結合されるケーシング１５２と、前記穀物伝達容器１５１に回転軸１５５によって結合され、前記ラックギア４６と噛み合わされ、前記操作ボタン部６２の押し動作及び押し解除動作による駆動力を前記穀物伝達容器１５１に伝達し、穀物伝達容器１５１の回転を引き起こすギア１５７とを含んでいる。  
【００５０】
そして、前記吐出口４１の側面及び前記ケーシング１５２の上部両側面には、前記穀物移送部１５０を前記吐出口４１の下部に固定させるための第１及び第２締結部１１０，１１２が設けられ、前記第１及び第２締結部１１０，１１２が締結部材１１４によって締結されることで、前記穀物移送部１５０が前記吐出口４１の下部に堅固に締結される。  
【００５１】
そして、前記穀物保管箱３０の下部には、前記穀物取り出し部６０を収容し、前記穀物取り出し部６０を保護する保護ケーシング２００が設けられ、前記保護ケーシング２００は、前記前面板４０と前記穀物保管箱３０の側方下端及び後方下端に結合される。  
【００５２】
そして、前記保護ケーシング２００の下面には、前記穀物移送部１５０によって移動される穀物を前記穀物引き出し部３００に移動させるときに通路役割をする排出口２０１が形成されている。
【００５３】
前記保護ケーシング２００の下部に設けられる前記穀物引き出し部３００は、上述したように、前記穀物引き出し箱３１０と、前記穀物引き出し箱３１０がスライド移動可能に収容されるハウジング３２０とを含んで構成される。  
【００５４】
図５に基づいて前記穀物移送部１５０の具体的な結合関係を説明すると、前記穀物伝達容器１５１は、中空状態の円筒形態で形成されており、外周面の一部に開放部１５１ａが形成されることで、一定量の穀物が投入されて収容される。  
【００５５】
そして、前記穀物伝達容器１５１の両側面には、前記回転軸１５５が貫通して結合される第１貫通孔１５１ｂが形成される。  
【００５６】
前記ケーシング１５２は、その一面に曲面形態の支持壁１５３が形成されることで、前記穀物伝達容器１５１と一緒に穀物を収容する役割をする。また、前記ケーシング１５２の上部及び下部には第１及び第２開放部１５４ａ，１５４ｂがそれぞれ形成されるが、前記第１開放部１５４ａは、前記吐出口４１（図３を参照）と連通され、前記穀物伝達容器１５１及び前記ケーシング１５２の内部に穀物を流入させる流入通路の役割をし、前記第２開放部１５４ｂは、前記穀物引き出し箱３１０（図３を参照）と連通され、前記ケーシング１５２及び前記穀物伝達容器１５１に収容された穀物が前記穀物引き出し箱３１０に移動するときに流出通路の役割をする。  
【００５７】
そして、前記ケーシング１５２の両側面には、前記回転軸１５５が挿入される第２貫通孔１５３ｂが形成され、前記回転軸１５５が前記第１及び第２貫通孔１５１ｂ，１５３ｂを貫通することで、前記穀物伝達容器１５１が前記ケーシング１５２の内部に回動可能に収容される。
【００５８】
前記回転軸１５５の一端部には、前記回転軸１５５が前記ケーシング１５２から離脱しないように前記回転軸１５５を支持する軸支持部材１５６が結合され、前記回転軸１５５の他端部には前記ギア１５７が結合される。
【００５９】
前記ギア１５７の一側面には四角形態の嵌合部１５７ａが形成されるが、前記嵌合部１５７ａは、前記ケーシング１５２の側面部に形成された挿入孔１５３ａを貫通して前記穀物伝達容器１５１の側面に設けられた収容部１５１ｃに嵌め込まれる。
【００６０】
したがって、前記ギア１５７が回転すると、前記嵌合部１５７ａと前記収容部１５１ｃとの結合によって前記穀物伝達容器１５１も同一方向に回転するようになる。  
【００６１】
一方、前記穀物伝達容器１５１の開放部１５１ａの一側枠にはゴム材質の整理部材１５９が設けられる。前記整理部材１５９は、前記穀物伝達容器１５１が回転しながら穀物を前記穀物引き出し箱３１０（図３を参照）に伝達した後、再び元の位置に戻るとき、前記支持壁１５３の内部と接触し、支持壁１５３の下端部から上端部に向かって移動することで、前記支持壁１５３の内部にあり得る穀物の残余物などが前記支持壁１５３の内周面と前記穀物伝達容器１５１の外壁との間に挟まらないように、この穀物の残余物を引き上げて前記穀物伝達容器１５１内に自然に入れる役割をする。
【００６２】
以下、添付された図面に基づいて本実施例の動作に対して説明する。
【００６３】
図６に示すように、使用者は、前記開閉部材３１の回動によって前記穀物保管箱３０の上部を開放させることで、穀物Ｇを投入することができ、前記投入口３６を通過した穀物Ｇは、前記穀物保管箱３０、前記穀物移送部１５０の穀物伝達容器１５１及びケーシング１５２に収容される。
【００６４】
上記のような状態で、穀物Ｇは、前記穀物保管箱３０の内部のみならず、前記穀物伝達容器１５１の開放部１５１ａ及び前記ケーシング１５２の支持壁１５３の内周面が形成する空間に充填される。  
【００６５】
図７に示すように、使用者が前記操作ボタン部６２の上端を押していない状態では、前記ラックギア６４の下部に前記ギア１５７の外周面が噛み合った状態を維持することができる。
【００６６】
図８に示すように、前記使用者が前記操作ボタン部６２を押すと、前記操作ボタン部６２が下降するようになり、図９に示すように前記ラックギア６４も下降し、前記ラックギア６４の上部に前記ギア１５７が噛み合うようになるが、前記ラックギア６４の移動によって前記ギア１５７が回転運動をする。
【００６７】
前記ギア１５７が回転運動をすると、前記穀物伝達容器１５１も回転運動をするようになるが、前記穀物伝達容器１５１が回転することで、前記穀物伝達容器１５１の内部空間と前記穀物保管箱３０の内部空間との間が遮断されると同時に、前記穀物伝達容器１５１の内部空間と前記穀物引き出し箱３１０とが連通される。
【００６８】
また、前記穀物伝達容器１５１に収容されていた穀物Ｇは、重力の作用によって前記穀物引き出し箱３１０の内部にこぼれ落ちるようになり、外部に引き出し可能な状態で前記穀物引き出し箱３１０に収容される。
【００６９】
図１０に示すように、使用者が前記操作ボタン部６２から手を離すと、前記操作ボタン部６２は、前記弾性部材６９の復元作用によって再び上部に移動するようになり、前記ラックギア６４の上昇移動及び前記ギア１５７の回転作用によって前記穀物伝達容器１５１が元の位置に戻り、再び穀物伝達容器１５１の内部空間と前記穀物保管箱３０の内部空間とが連通され、前記穀物保管箱３０の内部にある穀物の一部が再び前記穀物伝達容器１５１に投入される。
【００７０】
そして、前記整理部材１５９は、前記穀物伝達容器１５１が元の位置に戻ることで、前記支持壁１５３の下端部から上方向に移動し、前記支持壁１５３に存在する穀物の残余物などを上方向に取り除いて前記穀物伝達容器１５１の内部に移動させる。
【００７１】
上記のように、使用者は、上述した押し作用及び押し解除作用を反復的に行うことで、前記穀物引き出し箱３１０に所望の量だけの穀物Ｇを充填できるとともに、複数種類の穀物を充填する場合にも、その穀物を独立的に引き出せるようになる。
【００７２】
以下、本発明の第２実施例に対して説明する。
【００７３】
図１１に示すように、第２実施例による穀物取り出し部８０は、バックス形態のケース８１と、前記ケース８１の上面に設けられ、前記穀物保管箱３０から吐出される穀物を流入させる流入口８２と、前記ケース８１の下面に設けられ、前記流入口８２の方向に入った穀物を前記穀物引き出し部３００に吐出させる排出口８３（図１３を参照）と、前記ケース８１にスライド移動可能に設けられ、前記流入口８２及び前記排出口８３を選択的に開閉する移動部材８４とを含んでいる。
【００７４】
そして、前記穀物取り出し部８０の下部には前記穀物引き出し部３００が結合されるが、前記穀物引き出し部３００は、前記穀物が落下して収容される穀物引き出し箱３１０と、前記穀物引き出し箱３１０がスライド移動可能に収容されるハウジング３２０とを含んでいる。
【００７５】
図１２は、本発明の第２実施例に係る穀物保管装置２０を示した図で、前記穀物取り出し部８０の移動部材８４を前方から左右にスライド移動させる構造となっている。
【００７６】
そして、前記ケース８１の前面には、前記移動部材８４の左右移動距離を肉眼で確認するための測定目盛り８８が設けられる。
【００７７】
図１３は、第２実施例に係る穀物取り出し部８０の具体的な構成を示した図で、前記ケース８１は、上部ケース８１ａと下部ケース８１ｂに分けられ、前記上部ケース８１ａには前記流入口８２が形成され、前記下部ケース８１ｂには前記排出口８３が形成される。
【００７８】
そして、前記上部ケース８１ａの内部及び前記下部ケース８１ｂの内部には、前記移動部材８４の移動を案内する案内レール９０（９０ａ，９０ｂ）が設けられ、前記上部ケース８１ａ及び前記下部ケース８１ｂの前面には、前記移動部材８４の移動幅を制限する案内スリット８５が設けられる。
【００７９】
一方、前記移動部材８４には、取っ手の機能をする操作ノブ８４ａ及びその表面から突出された突起部８４ｂが設けられ、前記案内レール９０には、前記突起部８４ｂが挿入される挿入孔９２ａ，９２ｂが一定間隔だけ離れて複数個設けられる。
【００８０】
ここで、前記突起部８４ｂ及び前記挿入孔９２ａ，９２ｂは、使用者が前記操作ノブ８４ａを把持して前記移動部材８４を左右に動くときに、前記突起部８４ｂが前記挿入孔９２ａ，９２ｂに挿入されることで、使用者が穀物の吐出量を段階的に調節できるようにする役割をする。
【００８１】
図１４は、本発明による第３実施例を示した図で、前記穀物取り出し部８０の移動部材１８４の移動を前記穀物保管装置２０の側面で調節している。
【００８２】
図１４に示した穀物保管装置２０には、前記穀物保管箱３０の内部空間及び前記穀物引き出し箱３１０が２個設けられているので、前記穀物取り出し部８０の移動部材１８４も、これに対応して前記穀物保管装置２０の両側面に一つずつ設けられることが好ましい。
【００８３】
図１５は、第３実施例で示した穀物取り出し部８０の構成で、その外観をなすケース１８１は、上部ケース１８１ａと下部ケース１８１ｂに分けられ、前記上部ケース１８１ａには、前記穀物保管箱３０（図１４を参照）から吐出される穀物を流入させる流入口１８２が設けられ、前記下部ケース１８１ｂには、穀物が前記穀物引き出し箱３１０（図１４を参照）に吐出されることを案内する排出口１８３が設けられる。
【００８４】
前記ケース１８１の内部には前記移動部材１８４が設けられるが、前記移動部材１８４は、前記流入口１８２及び前記排出口１８３の面積より広く形成され、これらの部分を開閉できるようになる。
【００８５】
前記移動部材１８４には、取っ手の役割をする操作ノブ１８４ａと、その表面に複数個設けられ、一定間隔だけ離れた突起部１８４ｂとが設けられるが、前記突起部１８４ｂは、後述する挿入孔１９２ａ，１９２ｂと結合され、前記移動部材１８４を段階的に移動させる。このような段階的な移動によって、前記流入口１８２及び前記排出口１８３が段階的に開閉されるようになる。  
【００８６】
そして、前記上部ケース１８１ａの側面下部及び前記下部ケース１８１ｂの側面上部には、前記移動部材１８４の移動を案内し、その移動範囲を制限する案内スリット１８５が設けられる。
【００８７】
また、前記上部ケース１８１ａ及び前記下部ケース１８１ｂの内部には、前記移動部材１８４の移動を案内する案内レール１９０（１９０ａ，１９０ｂ）が設けられ、前記案内レール１９０の表面には、前記突起部１８４ｂと結合される挿入孔１９２ａ，１９２ｂが形成される。
【００８８】
以下、添付された図面に基づいて、第２実施例の動作に対して説明する。
【００８９】
図１６に示すように、前記移動部材８４が前記穀物保管箱３０の下部を塞いだ状態で前記穀物保管箱３０の内部に穀物Ｇを投入すると、穀物Ｇが前記穀物保管箱３０の内部に安定的に収容される。
【００９０】
一方、前記穀物保管箱３０の下部には、穀物が吐出される吐出口４１と、前記吐出口４１に穀物の移動を案内し、傾斜面を有するダクト４３とが設けられる。
【００９１】
上記のような状態で、使用者が穀物を取り出すために前記移動部材８４の操作ノブ８４ａを把持して開放方向（本実施例では左側）に前記移動部材８４を動かすと、前記穀物保管箱３０の吐出口４１が開放され、前記穀物保管箱３０に収容されていた穀物Ｇが前記穀物引き出し箱３１０の内部にこぼれ落ちるようになる。
【００９２】
ここで、使用者は、前記移動部材８４の開放程度を段階的に調節することで、適正な量の穀物を一定の速度で前記穀物引き出し箱３１０に排出させることができる。
【００９３】
図１７は、第３実施例の動作を示した図で、前記穀物保管箱３０の下部に設けられた移動部材１８４が前記穀物保管箱３０の下部を閉鎖している状態では、穀物Ｇの収容状態が継続的に維持される。
【００９４】
ここでも、前記穀物保管箱３０の下部には、穀物が吐出される吐出口１４１が設けられ、前記吐出口１４１に穀物を円滑に案内し、傾斜面を有するダクト１４３が設けられる。
【００９５】
上記のような状態で使用者の必要によって穀物を取り出す場合、使用者が前記移動部材１８４の操作ノブ１８４ａを開放方向（本実施例では後方）に動かすと、前記移動部材１８４が前記穀物保管箱３０の吐出口１４１を開放するようになる。このとき、前記移動部材１８４は、前記突出部１８４ｂ（図１５を参照）と前記挿入孔１９２ａ，１９２ｂとの相互結合作用によって、一度でなく段階的に開放されるので、瞬間的に多量の穀物が前記穀物引き出し箱３１０の内部にこぼれ落ちることが防止される。    
【符号の説明】
【００９６】
１０  本体
１２  冷蔵室
１４，１５  ドア
２０  穀物保管装置
３０  穀物保管箱
３１  開閉部材
３３  収納棚
６０  穀物取り出し部
３００  穀物引き出し部
【図１】
2010500531.tif 000003
【図２】
2010500531.tif 000004
【図３】
2010500531.tif 000005
【図４】
2010500531.tif 000006
【図５】
2010500531.tif 000007
【図６】
2010500531.tif 000008
【図７】
2010500531.tif 000009
【図８】
2010500531.tif 000010
【図９】
2010500531.tif 000011
【図１０】
2010500531.tif 000012
【図１１】
2010500531.tif 000013
【図１２】
2010500531.tif 000014
【図１３】
2010500531.tif 000015
【図１４】
2010500531.tif 000016
【図１５】
2010500531.tif 000017
【図１６】
2010500531.tif 000018
【図１７】
2010500531.tif 000019
【国際調査報告】
2010500531.tif 000020
2010500531.tif 000021
2010500531.tif 000022